(57)【要約】【課題】  鉄道車両や航空機等のように内装材について使用が厳しく制限される中で、大面積での情報表示を可能とし、乗客に対してインパクトのある表示を実現する。【解決手段】  車両や航空機等の移動体の座席に設けられた収納テーブルの物品載置面に、各種情報が印刷された不燃性シートを貼り付け、情報開示を行う。表示する情報は、広告情報や告知情報である。不燃性シートは、収納テーブルの物品載置面の面積の５０％〜１００％を占めるように貼り付ける。不燃性シートは、物品載置面を構成する素材と同種の素材からなる。【選択図】  図３
0003110923.tif 000002
【実用新案登録請求の範囲】
【請求項１】
物品載置面に各種情報が印刷された不燃性シートが貼着され、使用時に情報開示が行われることを特徴とする移動体用収納テーブル。
【請求項２】
前記不燃性シートは、前記物品載置面を構成する素材と同種の素材からなることを特徴とする請求項１記載の移動体用収納テーブル。
【請求項３】
前記不燃性シートは、前記物品載置面を構成する素材と同等の不燃性を有することを特徴とする請求項１又は２記載の移動体用収納テーブル。
【請求項４】
前記不燃性シートの厚さが０．５ｍｍ以下であることを特徴とする請求項１から３のいずれか１項記載の移動体用収納テーブル。
【請求項５】
前記不燃性シートの表面に滑り止め加工が施されていることを特徴とする請求項１から４のいずれか１項記載の移動体用収納テーブル。
【請求項６】
前記不燃性シートの表面が粗面化されていることを特徴とする請求項５記載の移動体用収納テーブル。
【請求項７】
前記不燃性シートは、前記物品載置面の面積の５０％〜１００％を占める大きさを有することを特徴とする請求項１から６のいずれか１項記載の移動体用収納テーブル。
【請求項８】
前記情報は、広告情報または告知情報の少なくとも１種であることを特徴とする請求項１から７のいずれか１項記載の移動体用収納テーブル。
【請求項９】
座席の肘掛けに収納される収納テーブルであることを特徴とする請求項１から８のいずれか１項記載の移動体用収納テーブル。
【請求項１０】
座席の背もたれ背面に開閉可能に取り付けられる収納テーブルであることを特徴とする請求項１から８のいずれか１項記載の移動体用収納テーブル。
【請求項１１】
前記移動体が、各種車両、航空機、船舶のいずれかであることを特徴とする請求項１から１０のいずれか１項記載の移動体用収納テーブル。
【考案の詳細な説明】
【技術分野】
【０００１】
本考案は、鉄道車両や航空機等において、座席に着席した乗客に対してインパクトのある情報開示を行うための移動体用収納テーブルに関する。
【背景技術】
【０００２】
鉄道車両や航空機等の移動体の座席には、飲み物を載置したり、軽い食事等を行うための収納式のテーブルが設けられている。特に、長時間の移動では、ほとんどの乗客がこの収納テーブルを利用することになる。
【０００３】
したがって、この種の収納テーブルに広告や告知情報を開示しておけば、不特定多数の乗客に効果的に情報開示を行うことができるものと期待される。このような観点から、車両や航空機内の収納テーブルに広告等を表示するための種々の提案がなされている（例えば、特許文献１や特許文献２等を参照）。
【０００４】
具体的には、特許文献１には、合成樹脂フィルムよりなるシート状物を接着剤を介して乗物内露出物（例えば、航空機用座席のテーブル等）に貼着し、広告表示を行うことが開示されている。また、特許文献２には、背もたれ背面に設けられたテーブルに広告表示を行うことが開示されており、不使用状態、使用状態のいずれにおいても使用者から見える状態とするための構造が提案されている。
【特許文献１】特開平６−２５９０２７号公報
【特許文献２】特開２０００−１７２２１２号公報
【考案の開示】
【考案が解決しようとする課題】
【０００５】
しかしながら、例えば特許文献１記載の考案では、テーブルのサイズに比べて著しく小さな面積での表示が提示されているに過ぎない。これは、広告表示に燃えやすい合成樹脂フィルムを使用しているために、その使用が大幅に制限されることによる。鉄道車両や航空機では、安全性の観点から、内装材等について使用が厳しく制限されている。
【０００６】
したがって、前記合成樹脂フィルムによる広告表示では、特許文献１にも具体例が記載されるように、極めて小さな面積での表示に限られるが、これでは乗客にインパクトのある広告表示を行うことはできない。また、例えば前記合成樹脂フィルムをテーブルの物品載置面に貼着する場合、一部のみにフィルムが貼られていると、その部分に段差が生じ、飲み物等を置く場合に不安定になるおそれもある。さらに、前記合成樹脂フィルムは、表面が平滑であるために、上に置いた物が滑りやすく、やはり物品を載置する上で安定性を欠くことになる。
【０００７】
一方、特許文献２記載の技術では、広告表示シートが表面に露出することがなく、物品を載置する上で障害となることはないが、テーブル自体の構造を大幅に変更する必要があり、著しくコストを増加する。また、テーブル自体を透明材料で形成する必要があり、この点もコスト増の要因となる。
【０００８】
本考案は、このような従来技術の有する欠点を解消するために提案されたものである。すなわち、本考案は、鉄道車両や航空機等のように内装材について使用が厳しく制限される中で、大面積での情報表示を可能とし、乗客に対してインパクトのある表示を行い得る情報表示方法、移動体用収納テーブルを提供することを目的とする。また、本考案は、収納テーブル自体を何ら設計変更する必要がなく、物品載置面の機能を損なうことのない移動体用収納テーブルを提供することを目的とする。
【課題を解決するための手段】
【０００９】
前述の目的を達成するために、本考案の移動体用収納テーブルは、物品載置面に各種情報が印刷された不燃性シートが貼着され、使用時に情報開示が行われることを特徴とする。
【００１０】
情報表示を行うために表示シートを不燃性の材料により構成することで、内装材等について使用が厳しく制限されている鉄道車両や航空機等においても、その使用が制約されることがなくなる。したがって、この不燃性シートに情報を印刷して収納テーブルの物品載置面に貼着するようにすれば、自由にその大きさを設定することができ、大面積での表示が実現される。例えば、収納テーブルの物品載置面のほぼ全面に情報が印刷された不燃性シートを貼着することで、使用時にこれが乗客の目に飛び込んでくることになり、インパクトのある広告表示、告知表示が行われる。
【００１１】
また、情報表示に際しては、ただ単に不燃性シートを収納テーブルの物品載置面に貼着するのみでよく、収納テーブルの構造を変更する必要はない。また、例えば不燃性シートを物品載置面の全面に貼着するようにすれば、物品載置面に無用な段差が生ずることがなく、不燃性シートの厚さを薄くし、表面に滑り止め加工を施すこと等により、物品の載置状態も安定化される。
【考案の効果】
【００１２】
本考案によれば、鉄道車両や航空機等のように内装材について使用が厳しく制限される状況においても、大面積での情報表示が可能であり、乗客に対してインパクトのある表示を行うことが可能である。また、本考案によれば、収納テーブル自体を何ら設計変更する必要がなく、物品載置面の機能を損なうこともない。
【考案を実施するための最良の形態】
【００１３】
以下、本考案を適用した移動体用収納テーブルの実施形態について、図面を参照して説明する。
【００１４】
本実施形態は、鉄道車両のシート肘掛けに内蔵して設けられた、いわゆるインアームテーブルへの適用例である。図１及び図２は、このインアームテーブルの構造例を示すものである。
【００１５】
鉄道車両の座席シート１は、図１及び図２に示すように、着座面２、背もたれ３、肘掛け４を主たる構成要素とする。この座席シート１の収納テーブルとしては、種々のタイプのものが知られているが、本例の収納テーブルは、不使用時に前記肘掛け４内に収納されるインアームテーブルである。
【００１６】
インアームテーブルは、物品載置面５ａを有するテーブル部５と、これを支持するヒンジ部６及び支持棒７等から構成され、引き出し操作、さらには回転操作等によって、使用者（乗客）が自由に収納状態と使用状態とを切り替えることができるようになっている。物品載置面５ａには、例えば飲み物を安定に支持する飲み物挿入用孔５ｂ等が形成されており、これらを利用することで乗客は食事等を行うことができる。
【００１７】
本考案では、図３（ａ），（ｂ）に示すように、前記テーブル部５の物品載置面５ａに各種情報を印刷した不燃性シート８を貼り付け、情報表示を行う。なお、図３（ａ），（ｂ）に示す例では、前記物品載置面５ａに設けられた飲み物挿入用孔５ｂに対応して、不燃性シート８にも、飲み物の挿入の妨げにならないように円形の孔部８ａが形成されている。
【００１８】
ここで、不燃性シート８に印刷される情報は、広告情報や告知情報（例えば禁煙の案内や航空機における緊急時の告知等）等である。乗客は、インアームテーブルを使用する際に、これら情報を必ず目にすることになり、高い広告効果を得ることができる。例えば、ワイヤレスＬＡＮ等のモバイルネットワーク環境の整備に伴って、鉄道車両や航空機内等においてもホームページの閲覧等が可能になりつつあるが、前記広告情報としてホームページのアドレス等を表示しておけば、興味のある乗客は、直ちにアクセスして詳細情報を入手することができる。また、これまであまり注意を払われていなかった告知情報についても、周知徹底することができる。
【００１９】
前記不燃性シート８は、先ず、不燃性であることが必要である。例えば、炎をかざした場合にも、数十分程度は炎が出ないこと、また仮に着火した場合に煙が出ないこと等が要求される。不燃性については、日本工業規格（ＪＩＳ規格）によって規定されているが、ここでは鉄道車両や航空機の内装として認められるレベルの不燃性を持つことが最低限必要である。
【００２０】
したがって、不燃性シート８の材質としては、テーブル部５，特に物品載置面５ａと同じ素材、同程度の不燃性を有することが好ましい。例えば、前記物品載置面５ａがポリウレタン系樹脂である場合には、不燃性シート８もやはりポリウレタン系樹脂により形成されていることが好ましい。ただし、必ずしも全く同じ素材である必要はなく、同系統の素材であればよい。
【００２１】
前述のように情報表示に不燃性シート８を用いることにより、鉄道車両や航空機内においても、その使用に制約が加わることがなく、任意の大きさの不燃性シート８により情報表示を行うことが可能である。情報表示の効果を高めるためには、不燃性シート８の大きさは、前記物品載置面５ａの面積の５０％〜１００％とすることが好ましい。この場合、なるべく１００％に近い方が好ましく、これにより物品載置面がフラットになり使い勝手が向上する。情報表示を行う不燃性シート８の大きさが物品載置面５ａの面積の５０％未満であると、乗客に強烈な印象を与えることが難しい。また、不燃性シート８の面積が小さくなると、物品載置面５ａに部分的に不燃性シート８が貼着されることになり、その段差による影響が懸念される。鉄道車両や航空機等では、ある程度の揺れは避けられず、通常よりもテーブル部５の物品載置面５ａには安定な物品載置状態が要求される。前記段差は、安定な物品載置の妨げになる可能性がある。
【００２２】
前記段差を考慮した場合、前記不燃性シート８の厚さは、なるべく薄い方が好ましく、例えば厚さ０．５ｍｍ以下とすることが好ましい。不燃性シート８の厚さを０．５ｍｍ以下とすることで、段差を小さなものとすることができ、安定な物品載置が実現される。また、特に航空機等においては、極力重量の増加を抑える必要があるが、不燃性シート８の厚さを薄くすることは、重量増加を抑える上でも有効である。
【００２３】
また、物品載置の安定性の観点からは、前記不燃性シート８の表面は、滑り止め加工が施されていることが好ましい。合成樹脂フィルム等からなるシートの表面は滑りやすく、物を置いた時に不用意に移動して内容物がこぼれる等の障害が発生するおそれがある。不燃性シート８の表面に滑り止め加工を施しておけば、この上に載置される物品の不用意な移動を抑制することができ、前記障害を回避することができる。
【００２４】
この場合の滑り止め加工としては、例えば不燃性シート８の表面を粗面化することが挙げられる。不燃性シート８の表面を粗面化すれば、物品の滑りが抑えられ、安定な載置状態となる。ただし、不燃性シート８の表面を粗面化した場合、情報の印刷が難しくなる。したがって、このような場合には、広告情報や告知情報の印刷に際して、インクを斜め方向から吹き付ける特殊な印刷技術を採用することが必要である。
【００２５】
なお、前記不燃性シート８は、接着剤や粘着剤等を用いてテーブル部５の物品載置面５ａに貼着されるが、例えば剥離剤の使用等により簡単に剥離可能な接着剤等を用いて貼着することで、必要に応じて、あるいは定期的に貼り替えることができ、特に広告表示等においては、常に新しい広告の表示が可能になる。
【００２６】
以上の構成のインアームテーブルによれば、乗客がテーブルを使用する際に、必ず大面積の広告表示、告知表示が目に入ることになり、大きな広告効果、告知効果を得ることができる。また、テーブル自体は、何ら変更する必要はなく、物品載置に支障をきたすこともない。
【００２７】
本考案は、前記インアームテーブルばかりでなく、例えば背もたれ背面に開閉自在に設けられるテーブル等、種々の構造のテーブルに適用することができる。また、収納テーブルが設けられる移動体についても、前記鉄道車両や航空機に限らず、船舶やバス等、任意の移動体に適用可能である。
【００２８】
図４（ａ），（ｂ）は、本考案の変形例を説明するものである。図４に示す例では、折り畳み式（２つ折りタイプ）のテーブル部５に情報を印刷した不燃性シート８を貼り付けている。本例では、テーブル部５は、２つの部材５Ａ，５Ｂから構成され、折り畳みライン５Ｃにおいて２つ折り可能とされているが、この場合にも、これら２つの部材５Ａ，５Ｂの物品載置面を覆って不燃性シート８を貼着すればよい。テーブル部５が折り畳まれた際には、この不燃性シート８も折り畳まれ、開いた時にはじめて広告表示、告知表示が乗客の目に入り、印象的である。なお、この場合、前記不燃性シート８にも、前記折り畳みライン５Ｃに沿って、浅い切り込みを入れる等、折り畳み容易線を形成しておくことが好ましい。
【図面の簡単な説明】
【００２９】
【図１】座席シートの一例を示す斜視図である。
【図２】インアームテーブルの収納状態及び使用状態を一部透過して示す要部斜視図である。
【図３】テーブル部の物品載置面への不燃性シートの貼着状態を示す図であり、（ａ）は貼り付け前の状態を示す斜視図、（ｂ）は貼着状態を示す平面図である。
【図４】２つ折りタイプのテーブル部の物品載置面への不燃性シートの貼着状態を示す図であり、（ａ）は貼り付け前の状態を示す斜視図、（ｂ）は貼着状態を示す平面図である。
【符号の説明】
【００３０】
１  座席シート、２  座面、３  背もたれ、４  肘掛け、５  テーブル部、５ａ  物品載置面、６  ヒンジ、７支持棒、８  不燃性シート
【図１】
0003110923.tif 000003
【図２】
0003110923.tif 000004
【図３】
0003110923.tif 000005
【図４】
0003110923.tif 000006